(57)【要約】【課題】  所望の電流が転写ローラを流れるための電圧値を感光ドラム上の非画像部電位に加算して転写電圧を決定する方法で転写電圧を求めると、帯電電位、現像電位を調整する装置では、適切な転写電圧を得ることができない。【解決手段】  所望の電流が転写ローラを流れるための電圧を検出し、この電圧値と現像電圧から、転写電圧を決定する。【選択図】  図１
2008157975.tif 000002
【特許請求の範囲】
【請求項１】
静電像を担持する像担持体と、
前記静電像を形成するために前記像担持体を帯電する帯電手段と、
現像電圧が印加され、前記静電像を現像してトナー像を形成する現像手段と、
転写電圧が印加され、前記トナー像を転写媒体へ転写する転写部材と
予め定められた電流を前記転写部材に流すために前記転写部材へ印加する電圧を検出する検出手段と、を有する画像形成装置において、
前記検出手段の検出結果と、前記現像電圧に基づいて、前記転写電圧を決定する転写電圧決定手段を有することを特徴とする画像形成装置。
【請求項２】
前記像担持体は、複数色のトナー像が形成されることを特徴とする請求項１の画像形成装置。
【請求項３】
前記転写媒体は前記像担持体からトナー像が１次転写され、更に、前記トナー像が記録材へ２次転写される中間転写体であることを特徴とする請求項１または２の画像形成装置。
【発明の詳細な説明】
【技術分野】
【０００１】
本発明は、電子写真方式の画像形成装置に関し、特に像担持体上のトナー像を中間転写体等へ転写する際に転写部材へ印加される転写電圧の制御に関する。
【背景技術】
【０００２】
電子写真方式の画像形成装置は特許文献１に示す様に、帯電された感光ドラムにレーザー光が照射され、１色目のイエローの静電像が形成される。静電像は、現像電圧の印加されるイエロー現像器によって現像され、イエロートナー像が形成される。続いて、１次転写ローラに１次転写電圧が印加され、感光ドラム上のイエロートナー像は中間転写体へ１次転写される。続いて、同様の方法で、マゼンタ、シアン、ブラックのトナー像が中間転写体へ１次転写される。
【０００３】
中間転写体へ１次転写された上記４色のトナー像は、更に、２次転写ローラによって記録材へ２次転写される。４色のトナー像が２次転写された記録材は定着器へ搬送され、トナー像が定着される。
【０００４】
ところで、上記画像形成装置においては、画像部（トナー像が形成される領域）と非画像部（トナー像の形成されない領域）の面積の比率に関わらず、１次転写時に所望の電流が画像部を流れる様に、転写電圧は定電圧制御される。ところが、１次転写ローラは長期間の使用等によって抵抗が変化し、所望の電流を流すための転写電圧は変化する。
【０００５】
そこで、転写ローラに所望の電流が流れるために必要な電圧Ｖｐを求め、この電圧を画像部電位に加算することで、転写電圧が決定される。
【特許文献１】特開２００２−２４４３６９
【特許文献２】特開２００６−１２６３２０
【発明の開示】
【発明が解決しようとする課題】
【０００６】
しかしながら、非画像部のカブリを目立ちにくくするため、静電像の非画像部電位と現像電圧の電位差（以降、Ｖｂａｃｋ電位とする）が各色で異なるように設定する場合、感光ドラムの画像部に所望の電流が流れず、転写不良が生じた。
【０００７】
ここで、図９（ａ）に、イエローの静電潜像の非画像部電位（Ｖｄ）、画像部電位（Ｖｌ）、現像電圧（Ｖｌ）を示す。同様に、図９（ｂ）に、マゼンタの静電潜像の非画像部電位（Ｖｄ）、画像部電位（Ｖｌ）、現像電圧（Ｖｌ）を示す。
図９（ａ）（ｂ）に示す様に、Ｖｂａｃｋ電位が異なると、静電像の非画像電位（Ｖｄ）と画像部電位（Ｖｌ）の電位差Ｖｇが異なる。
【０００８】
また、イエロートナー像とマゼンタトナー像は同一の転写ローラで転写されるため、転写ローラに所望の電流が流れるために必要な電圧Ｖｐは同一である。
【０００９】
したがって、非画像部電位に電圧Ｖｐを加算して転写電圧を決定すると、イエローとマゼンタで画像部電位と転写電圧との電位差Ｖｆが異なる。しかし、イエロートナーとマゼンタトナーは、ほぼ同じ電荷量であるため、良好な転写のためには、転写電圧と画像部電位との電位差Ｖｆは両者で同じであるべきである。
【００１０】
このようにして、Ｖｂａｃｋ電位が異なる場合に転写電圧が適切に設定されず、所望の電流が画像部に流れなくなり、転写不良が生ずる。
【００１１】
本発明は上述の問題に鑑みてなされたものであり、その目的は、
転写ローラに所望の電流が流れるために必要な電圧を検出し、この検出結果から転写電圧を決定する画像形成装置において、適切に転写電圧を決定することが可能な画像形成装置を提供することである。
【課題を解決するための手段】
【００１２】
静電像を担持する像担持体と、
現像電圧が印加され、前記静電像を現像してトナー像を形成する現像手段と、
転写電圧が印加され、前記トナー像を転写媒体へ転写する転写部材と
予め定められた電流を前記転写部材に流すために前記転写部材へ印加する電圧を検出する検出手段と、を有する画像形成装置において、
前記検出手段の検出結果と、前記現像電圧に基づいて、前記転写電圧を決定する転写電圧決定手段を有することを特徴とする画像形成装置。
【発明の効果】
【００１３】
本発明によれば、転写部材に予め定められた電流が流れるために必要な電圧を検出し、この検出結果と現像電圧に基づいて転写電圧を決定するため、適切に転写電圧を決定することができる。
【発明を実施するための最良の形態】
【００１４】
＜画像形成装置の全体構成＞
図１は、本発明の実施形態に係る画像形成装置の全体説明図であり、まず、図１を参照して画像形成装置の全体構成について説明する。
【００１５】
画像形成装置１００は、感光ドラム（像担持体）１に複数色のトナー像を形成し、それを中間転写ベルト１１に重ねて１次転写し、その複数色のトナー像を一括して記録材Ｐへ２次転写し、フルカラーの画像を形成する。
【００１６】
像担持体である感光ドラム１は、図中矢印ａ１方向に回転しトナー像が形成される。感光ドラム１の周りには、帯電ローラ（帯電手段）２、露光装置３、回転式現像器保持部４、１次転写部Ｔ１、感光ドラムクリーナ１２が設けられる。ａ２方向に回転する回転式現像器保持部４は、異なる色のトナーが充填された４個の現像器（現像手段）４ｙ、４ｍ、４ｃ、４ｋが配置される。
【００１７】
即ち、４ｙにはイエロートナー、４ｍはマゼンタトナー、４ｃにはシアントナー、４ｋにはブラックトナーがそれぞれ充填される。なお、各色のトナーの単位量当たりの電荷量は、ほぼ等しい。感光ドラム１の下方には、感光ドラム１に形成されたトナー像が１次転写される中間転写ベルト１１が設けられる。中間転写ベルト（転写媒体、中間転写体）１は複数のローラに支持される。中間転写ベルト１１のトナー像は２次転写部Ｔ２にて記録材Ｐへ一括して２次転写され、トナー像が２次転写された記録材は定着器９に搬送される。なお、本実施形態のトナーは、記録材Ｐ上、０．５ｍｇ／ｃｍ２のトナー量の状態で定着器９で定着すると、光学濃度１．５が得られるように濃度が調整されている。光学濃度は、Ｘ−Ｒｉｔｅ社製のスペクトロデンシトメーター５０４で測定した値である。
【００１８】
まず、帯電ローラ２に負極性の帯電電圧が印加され、感光ドラム２の外周面一様に負極性に帯電される。感光ドラム１は直径８４ｍｍのアルミ製のシリンダに、感光層を設けたものである。続いて、１色目のイエローの画像信号に基づいて、露光装置３は感光ドラム１の外周面を露光し、静電潜像（静電像）を形成する。回転式現像器保持部４の回転により、負極性に帯電するイエロートナーの装填される現像器４ｙが感光ドラム１に対向する位置に移動する。現像器４ｙでは、トナー搬送機構（不図示）が現像スリーブ（不図示）にイエロートナーが供給される。現像スリーブに供給されたイエロートナーは、現像スリーブの外周に圧接された規制ブレード（不図示）によって、現像スリーブへ薄層塗布される。現像器４ｙに現像電源４１から負極性の現像電圧が印加されると、現像スリーブと感光ドラム１の間隙（３００μＡ）に電界が形成される。この電界から受ける静電力を受けて移動するイエロートナーによって静電潜像は現像され、イエロートナー像が形成される。感光ドラム１の回転によってイエロートナー像が１次転写部Ｔ１に達すると、１次転写電源５１からプラス極性の転写電圧が印加される１次転写ローラ（転写部材）５によって、中間転写ベルト１１に１次転写される。
【００１９】
１次転写ローラ５は、直径８ｍｍの鋼鉄製の芯金に、発砲処理をしたＥＰＤＭを基材とする発砲ゴム層を設け、直径を１６ｍｍとした。本実施例の１次転写ローラ５の抵抗値は、２３℃／５０％ＲＨの環境下において１０６．５Ω（１００ｖ印加）時としたが、１０５．０Ω〜１０７．０Ωにすることもできる。
【００２０】
また、中間転写ベルト１１は、厚さ８５μｍのポリイミド樹脂に、抵抗調整剤１０９．５Ω・ｃｍに調整されている。中間転写ベルト１１は、１次転写下流ローラ６、対向ローラ８１、従動ローラ８２、駆動ローラ８３、２次転写内ローラ７１に支持される。駆動ローラ８３の回転により、中間転写ベルト１１は１３０ｍｍ／ｓの速度で矢印ａ３方向へ回転する。１次転写下流ローラ６は、直径６ｍｍのＳＵＳ製のローラである。１次転写下流ローラ６は、１次転写ローラ５への１次転写電圧の印加により電荷を付与された中間転写ベルト１１の裏面に接しているため、チャージアップ防止のために電気的に接地されている。
【００２１】
イエロートナー像が１次転写された感光ドラム１は感光ドラムクリーナ１２によって、１次転写されずに残留したトナーが除去される。
【００２２】
続いて、２色目のマゼンタのトナー像が感光ドラム１１に形成される。感光ドラムクリーナ１２によりトナーが除去された感光ドラム１は、帯電ローラ２によって再び負極性に帯電される。露光装置３は、マゼンタの画像信号に基づいて感光ドラム１の外周面を露光し、静電潜像を形成する。回転式現像器保持部４の回転により、負極性に帯電するマゼンタトナーの装填される現像器４ｍが感光ドラム１に対向する位置に移動する。現像器４ｍに負極性の現像電圧が印加されると静電潜像は現像され、マゼンタトナー像が形成される。マゼンタトナー像が１次転写部Ｔ１に達すると、正極性の転写電圧の印加される１次転写ローラ５によって、イエロートナー像を保持する中間転写ベルト１１へ１次転写される。
【００２３】
同様にして、３色目のシアン、４色面のブラックの各トナー像が中間転写１１へ１次転写される。
【００２４】
中間転写ベルト１１へ１次転写された４色のトナー像は、２次転写内ローラ７１と２次転写外ローラが中間転写ベルト１１を狭持する２次転写部Ｔ２にて記録材Ｐへ一括して２次転写される。２次転写内ローラ７１は電気的に接地され、中間転写ベルト１１上のトナー像が２次転写される際、２次転写外ローラ７２には、２次転写電源７３から正極性の２次転写電圧が印加される。
【００２５】
２次転写外ローラ７２は、直径１２ｍｍの鋼鉄製の芯金に、発砲処理をしたＮＢＲを基材とする発砲ゴム層を設け、更にその外側に、ＮＢＲの層を設け、直径を２４ｍｍとした。２次転写外ローラ７２には、抵抗調整剤としてイオン導電性の物質が分散され、抵抗値が１０７．５Ω（２Ｋｖ印加）に調整されている。なお、２次転写外ローラ７２としては、１０７．０Ω〜１０７．８Ωの範囲のものが使用できる。
【００２６】
中間転写ベルト１１からトナー像が２次転写された記録材Ｐは、定着器９へ搬送され加熱加圧定着され、永久画像を得る。
【００２７】
また、１次転写中に中間転写ベルト１１から離間していた中間転写ベルトクリーナ１０は、２次転写の開始に先立って、中間転写ベルト１１に当接する。記録材Ｐへ２次転写されずに中間転写ベルト１１に残留するトナーは中間転写ベルトクリーナ１０で除去される。
【００２８】
＜帯電電圧、現像電圧の制御＞
感光ドラム１の長期使用により、感光ドラム１の光に対する感度が変化する。
この変化に関わらず、感光ドラム１上に形成されるベタのトナー像のトナー量が０．５ｍｇ／ｃｍ２から大きく外れないように、帯電電圧及び現像電圧が制御される。つまり、帯電電圧および現像電圧を制御し、感光ドラム１に形成されるトナー像の単位面積当たりのトナー量を調整する。
【００２９】
本実施例では、各色トナーのカブリの目立ちやすさの違いを考慮して、トナーの色毎にＶｂａｃｋ電位を異なる設定にする。温湿度が２３℃／５０％ＲＨであるとき、イエローのＶｂａｃｋ電位は１９０ｖ、マゼンタおよびシアンは２００ｖ、ブラックは２１０ｖとした。
【００３０】
カブリを減少させるためにはＶｂａｃｋ電位を大きくすれば良い。しかし、帯電器２が感光ドラム１を帯電する電位が高くなると、画像部の電位が不安定になる。また、トナーとキャリアを混合した現像剤を用いる所謂二成分現像方式を用いる場合には、Ｖｂａｃｋ電位を大きくするとキャリアが感光ドラム１へ付着する。従って、カブリが目立たない色については、Ｖｂａｃｋ電位は小さくすることが好ましい。
【００３１】
本実施形態の画像形成装置では、各色のＶｂａｃｋ電位の違いを考慮して、各色毎に、帯電器２に印加される帯電電圧、現像器４ｙｍｃｋに印加する現像電位を調整する。図２のフローチャートを参照し、帯電電圧及び現像電圧の調整方法を説明する。なお、各色の帯電電圧および現像電圧の調整方法は同じであるため、イエロートナー像を例に挙げて説明する。なお、以下の制御は、図１中の電圧制御器（電圧制御手段）２０１で行われる。
【００３２】
温湿度センサ１４によって、装置本体内の温度及び湿度を測定する（Ｓ１０１）。
【００３３】
つづいて、温度湿度に応じたＶｂａｃｋ電位を、図１中のメモリー２０２に記録されるテーブルから読み出す（Ｓ１０２）。今、温湿度が２３℃／５０％ＲＨであるので、イエローのＶｂａｃｋ電位は１９０ｖとする。
【００３４】
次に、光学センサ１３によって、中間転写ベルト１１の反射光量Ｒ１を測定する（Ｓ１０３）。
【００３５】
帯電電圧として〔−５５０ｖ〕、帯電電圧〔−５５０ｖ〕にＶｂａｃｋの〔＋１９０ｖ〕を加えた〔−３６０ｖ〕を現像電圧としてトナーパッチを感光ドラム１上に形成し、中間転写ベルト１１へ１次転写する（Ｓ１０４）。なお、トナーパッチを１次転写する際の転写電圧は、温湿度に応じた値がメモリー２０２に記憶されており、温湿度に応じた転写電圧が印加される。そして、中間転写ベルト１１に１次転写されたトナーパッチの反射光量Ｒ２を検知する（Ｓ１０５）。次に、〔（トナーパッチの反射光量Ｒ２）／（中間転写ベルト１１の反射光量Ｒ１）〕（以降、この値を光量比とする。）を計算する（Ｓ１０６）。ここで、トナーパッチの反射光量Ｒ２が小さいほど、トナーパッチのトナーのトナー量は多くなる。よって、光量比が小さいほど、トナーパッチのトナー量は多いことになる。
【００３６】
光量比が所定値よりも大きいか、否かの判断を行う（Ｓ１０７）。Ｓ１０７で、光量比が所定の値よりも大きいと判断されると、Ｖｂａｃｋ電位〔＋１９０ｖ〕を維持したまま、現像電圧、帯電電圧の絶対値を大きくする。（Ｓ１０８）。このとき、本実施例では、帯電電圧及び帯電電圧の絶対値を１０ｖ大きくする。よって、帯電電圧は〔−５６０ｖ〕、現像電圧を〔−３７０ｖ〕となる。現像電圧の絶対値を大きくすることで、現像スリーブと感光ドラム１との間の電界が大きくなり、感光ドラム１上のトナー量が多くなる。
【００３７】
そして、Ｓ１０４に戻り、変更した現像電圧及び帯電電圧にて再び感光ドラム１１上にトナーパッチを形成し、中間転写ベルト１１へ転写する。中間転写ベルト１１上で、このパッチの反射光量を再び検知する。
【００３８】
反対に、Ｓ１０７で、光量比が所定値よりも大きくないと判断されると、光量比が所定値よりも小さいか、否かの判断を行う（Ｓ１０９）。
【００３９】
Ｓ１０９で光量比が所定値よりも小さいと判断されると、Ｖｂａｃｋ電位を維持したまま、現像電圧、帯電電圧の絶対値を小さくする（Ｓ１１０）。このとき、本実施例では、帯電電圧及び帯電電圧の絶対値を１０ｖ小さくする。よって、本実施例では、帯電電圧を〔−５４０ｖ〕、現像電圧を〔−３５０ｖ〕となる。そして、Ｓ１０４に戻り、変更した現像電圧及び帯電電圧にて再び感光ドラム１１上にトナーパッチを形成し、中間転写ベルト１１へ転写する。中間転写ベルト１１上で、このパッチの反射光量を再び検知する。
【００４０】
Ｓ１０９で光量比が所定値よりも小さくないと判断されると、このときの現像電圧及び帯電電圧を実際に画像を形成する時の現像電圧及び帯電電圧とする。（Ｓ１１１）
上記の方法により、本実形態におけるイエロートナー像形成の帯電電圧は〔−５４０ｖ〕、現像電圧は〔−３５０ｖ〕と決定される。
【００４１】
続いて、マゼンタトナー像形成の帯電電圧及び現像電圧が図２のフローに従って決定される。温湿度が２３℃／５０％ＲＨであるとき、マゼンタのＶｂａｃｋ電位は２００ｖに設定されている。Ｓ１０４では、帯電電圧として〔−５５０ｖ〕、帯電電圧〔−５５０ｖ〕にＶｂａｃｋの〔＋２００ｖ〕を加えた〔−３５０ｖ〕を現像電圧としてトナーパッチを感光ドラム１上に形成し、中間転写ベルト１１へ１次転写する。
【００４２】
本実施例では、マゼンタの帯電電圧は〔−５８０ｖ〕、現像電圧は〔−３８０ｖ〕と決定された。更に、シアン、ブラックの帯電電圧及び現像電圧も、図２のフローに従って決定される。
【００４３】
本実施形態では、トナーパッチは、装置が形成可能な最高濃度のトナー像であり、２０ｍｍ×２０ｍｍの正方形である。１つのトナーパッチは、１ｍｍ間隔で１６点で検知される。そして、この１６点の検知結果の平均値をトナーパッチの反射光量とする。図３に本実施形態の光学センサ１３の構成を示す。光学センサ１３は反射光を検知する鏡面反射型のセンサである。駆動ローラ８３に張架された中間転写ベルト１１表面の検知位置に対して、角度φだけ傾斜して配置されたＬＥＤ光源１０１と、同じく、角度φだけ傾斜して配置された受光素子としてのフォトトランジスタ１０２とから構成されている。ＬＥＤ光源１０１からトナーパッチに対して照射された反射光が、フォトトランジスタ１０２によって光量として検知されることで、トナーパッチの光学濃度を推測することが可能である。
【００４４】
＜転写電圧の決定＞
各色の帯電電圧及び現像電圧が決定されると、次に、転写電圧が決定される。
転写電圧の印加を定電圧制御で行うにあたり、最適な転写電圧を設定するための制御を行う。転写ローラ３は、耐久劣化などにより抵抗が変化してしまう。
そこで、所望の電流（目標電流値Ｉａ）が転写ローラ３に流れるための目標電圧値Ｖｂを検出する。
【００４５】
また、各色毎にＶｂａｃｋ電位が異なり、その結果、各色毎に静電潜像の画像部電位と非画像部電位との電位差が異なる。従って、目標電圧Ｖｂを各色の非画像部電位に加算して得られる電圧値を画像形成時の転写電圧とする従来の方法では、各色毎に画像部電位と転写電圧の電位差が異なる。ところが、適切に転写を行うために必要な、画像部電位と転写電圧との電位差は各色でほぼ等しい。従って、非画像部電位に目標電圧Ｖｂを印加する従来の方法では適切に転写電圧を決定することは難しい。
【００４６】
そこで、現像電圧と画像部電位の電位差は各色で大きな違いはないことから、目標電圧Ｖｂと現像電圧との電位差を、各色の現像電圧に加算して画像形成時の転写電圧を決定する。
【００４７】
図４に本実施例の転写電圧決定プロセスのフローを示す。
まず、感光ドラム１を基準帯電電圧（−５００ｖ）で帯電する（Ｓ２０１）。次に転写ローラ３にテスト電圧Ｖ１（＋１００ｖ）を印加したときに転写ローラ３を流れる電流Ｉ１、及びテスト電圧Ｖ２（＋４００ｖ）を印加したときの電流Ｉ２を検知する（Ｓ２０２）。本実施例では、Ｉ１＝４μＡ、Ｉ２＝１６μＡであった。電流Ｉ１、Ｉ２は、電流計（電流検知手段）５２で検知される。温湿度を検知し、温湿度に応じた目標電流値Ｉｂが記録されているメモリ２０２から、現在の温湿度に対応する目標電流値Ｉｂを読み出す（Ｓ２０３）。現在の温湿度が２５℃／５０％ＲＨであるとすると、本実施例では目標電流値は１０μＡである。Ｓ２０２で得られた電流−電圧の関係（図５）から、転写ローラ３に目標電流値Ｉａである１０μＡが流れるために転写ローラ３に印加する目標電圧Ｖｂとして〔＋２５０ｖ〕が検出される。（Ｓ２０４）。目標電圧Ｖｂの検出は、目標電圧検出器（検出手段）２０３によって検出される。なお、Ｓ２０２で求めたＶ１、Ｖ２、Ｉ１、Ｉ２は線形補完され、電流−電圧の関係が求められる。
【００４８】
ここで、予め、２５℃／５０％ＲＨの環境では、帯電電圧を基準帯電電圧〔−５００〕、現像電圧を基準現像電圧〔−３１０ｖ〕とすると、感光ドラム１上に良好なイエロートナー像が形成されることが確認されている。また、このときの最適な転写電圧をＶｋとすると、感光ドラム１を帯電電圧〔−５００ｖ〕で帯電した状態で転写ローラ３にＶｋを印加すると１０μＡが流れることがわかっている。このときの１０μＡが上記目標電流値ｂとして設定されている。温湿度が同じである場合、トナーの単位量当たりの電荷量は大きく変動しない。従って、２５℃／５０％ＲＨの環境では、帯電電圧及び現像電圧が上記の値と異なっても、画像部電位と現像電位の電位差は大きく変動しない。（図7参照）
転写電圧決定器（転写電圧決定手段）２０４は、目標電圧Ｖｂから転写電圧を決定する。以下のフローは転写電圧決定器（転写電圧決定手段）２０４によって行われる。
【００４９】
次に、基準現像電圧〔−３１０ｖ〕と電圧Ｖｂ〔＋２５０ｖ〕との電圧差である転写コントラスト電圧Ｖｃが、２５０ｖ−（−３１０ｖ）＝５６０ｖと決定される（Ｓ２０５）。そして、転写コントラスト電圧Ｖｃがメモリ２０２へ記録される（Ｓ２０６）。
【００５０】
パッチ画像の検知によって得られたイエロートナー像の現像電圧〔−３５０ｖ〕に転写コントラスト電圧Ｖｃを加え、−３５０ｖ＋５６０ｖ＝＋２１０ｖ、イエロートナー像の転写電圧として〔＋２１０ｖ〕が決定される（Ｓ２０７）。（図７参照）
続いて、マゼンタトナー像の転写電圧が決定される。
【００５１】
図８にマゼンタトナー像の転写電圧決定のフローを示す。
【００５２】
イエロートナーとマゼンタトナーの電荷量には大きな差異はないため、良好な転写を行うための、画像部電位と転写電圧の電位差はイエローとマゼンタでほぼ等しいと考えられる。また、マゼンタの画像部電位と現像電圧の電位差は、イエローの画像部電位と現像電圧の電位差とほぼ等しいと考えられる。
【００５３】
よって、本実形態では、まず、イエローの転写電圧決定の際に求められた転写コントラスト電位Ｖｃを、メモリ２０２から読み出す（Ｓ３０１）。パッチ画像の検知によって得られたマゼンタトナー像の現像電圧〔−３８０ｖ〕に印加して、マゼンタの転写電圧は決定される（Ｓ２０２）。即ち、−３８０ｖ＋５６０ｖ＝＋１８０ｖであり、マゼンタの転写電圧は、＋１８０ｖと決定される。
【００５４】
同様にして、シアン、ブラックの現像電圧にイエローの転写電圧決定の際に得られた転写コントラスト電圧Ｖｃを印加し、シアン、ブラックの転写電圧を決定する。
【００５５】
ところで、上記の転写電圧の決定のプロセスでは、
「｛（目標電圧Ｖｂ）−（基準現像電圧）｝＋（現像電圧）」によって転写電圧は決定される。つまり、目標電圧Ｖｂに、現像電圧の変更に伴って変更される補正値（現像電圧−基準現像電圧）を加えることで転写電圧は決定される。
【００５６】
上記の帯電電圧及び現像電圧の制御、転写電圧の制御は、本実施例では、装置本体の電源投入時に行ったが、所定のプリント枚数（例えば５００枚）ごとに行うこともできる。また、所定のプリント枚数ごとに、帯電電圧及び現像電圧の制御、転写電圧の制御を行う場合、パッチトナー像を１次転写する際の転写電圧を、前回の制御の結果を用いて決定することもできる。
【００５７】
実施形態では、トナーの色によってＶｂａｃｋ電位が異なる構成における実施形態を示したが、現像器の長期使用により、同一色のトナーにおいてもＶｂａｃｋ電位を変化させる画像形成装置においても、本発明は適用できる。
【図面の簡単な説明】
【００５８】
【図１】実施形態の画像形成装置の概略構成を示す図。
【図２】帯電電圧、現像電圧の調整方法のフローを示す図。
【図３】光学センサの構成を示す図。
【図４】イエローの転写電圧の制御方法のフローを示す図。
【図５】テスト電圧Ｖ１、Ｖ２と、電流Ｉ１，Ｉ２の関係を示す図。
【図６】マゼンタの転写電圧の制御方法のフローを示す図。
【図７】実施形態を詳細に説明するための図。
【図８】実施形態を詳細に説明するための図。
【図９】本発明が解決しようとする課題を説明するための図。
【符号の説明】
【００５９】
１  感光ドラム
２  帯電ローラ
４  現像器
５  １次転写ローラ
１１  中間転写ベルト
２０１  電圧制御器
２０３  転写電圧決定器
【図１】
2008157975.tif 000003
【図２】
2008157975.tif 000004
【図３】
2008157975.tif 000005
【図４】
2008157975.tif 000006
【図５】
2008157975.tif 000007
【図６】
2008157975.tif 000008
【図７】
2008157975.tif 000009
【図８】
2008157975.tif 000010
【図９】
2008157975.tif 000011